(57)【要約】【課題】携帯電話機の盗難、紛失、暗証番号の漏洩等の事態に対処して完全なる本人の特定を可能とし、さらに、電子錠の破壊の事態にも簡単に迅速に対処可能にする。【解決手段】ネットワーク１０４を介して遠隔で操作される電子錠システムに、発信者番号を通知し電話をかけ施錠・解錠の要求を行い、生体データを送信する携帯電話機１０１−１、１０１−２と、ネットワークを介して携帯電話機からユーザーの生体データを受信し、受信した生体データの認証を行い、本人である場合には許可信号を送信するサーバー１０２と、ネットワークを介して携帯電話機からの施錠・解錠の要求を受信し、携帯電話機の電話番号が正しいかを判断し、正しい場合には携帯電話機に通知を行い、生体データをサーバーに送信させ、ネットワークを介してサーバーから許可信号を受信した場合には施錠・解錠を行う電子錠１０３−１、１０３−２とを備える。【選択図】図１
2007247346.tif 000002
【特許請求の範囲】
【請求項１】
ネットワークを介して遠隔で操作を行う電子錠システムにおいて、
発信者番号を通知し電話をかけ施錠・解錠の要求を行い、生体データを送信する携帯電話機と、
前記ネットワークを介して前記携帯電話機からユーザーの生体データを受信し、受信した生体データの認証を行い、本人である場合には許可信号を送信するサーバーと、
前記ネットワークを介して前記携帯電話機からの施錠・解錠の要求を受信し、前記携帯電話機の電話番号が正しいかを判断し、正しい場合には前記携帯電話機に通知を行い、生体データを前記サーバーに送信させ、前記ネットワークを介して前記サーバーから許可信号を受信した場合には施錠・解錠を行う電子錠とを備えることを特徴とする電子錠システム。
【請求項２】
前記サーバーは複数の前記携帯電話機に対してユーザーの選択によりユーザーの顔認証データ、虹彩認証データ、指紋認証データ、声紋認証データを予め格納し、前記携帯電話機から生体データを受信した場合には生体データに応じて格納された生体認証データを取り出し、受信した生体データと取り出した生体認証データを照合することを特徴とする、請求項１に記載の電子錠システム。
【請求項３】
前記電子錠は前記携帯電話機の電話番号が正しくない場合には施錠・解錠を行わないことを特徴とする、請求項１に記載の電子錠システム。
【請求項４】
前記携帯電話機は発信者番号を通知し電話をかけ施錠・解錠の要求を行い、前記電子錠から電話番号が正しいとの通知がない場合には前記サーバーに生体データを送信しないことを特徴とする、請求項１に記載の電子錠システム。
【請求項５】
前記電子錠は、前記サーバーから認証結果として本人でないとして不許可信号を受信した場合には施錠・解錠を行わないことを特徴とする、請求項１に記載の電子錠システム。
【請求項６】
前記電子錠は前記携帯電話機に通知を行った後の許容時間内に前記サーバーから許可信号を受信した場合には施錠・解錠を行い、許容時間を超えて前記サーバーから許可信号を受信した場合には施錠・解錠を行わないことを特徴とする、請求項１に記載の電子錠システム。
【請求項７】
前記携帯電話機は、前記電子錠が施錠・解錠を行った旨の通知、施錠・解錠を行わなかった旨の通知に対して、着信鳴動し、通知内容を表示することを特徴とする、請求項１に記載の電子錠システム。
【請求項８】
前記サーバーは一定周期で前記電子錠に異常がないかを問い合わせに対して応答の有無を判断し、応答が無い場合には前記携帯電話機に前記電子錠に異常発生の通知を行い、前記携帯電話機は異常発生の通知に対して着信鳴動を行い、異常発生通知の表示を行うことを特徴とする、請求項１に記載の電子錠システム。
【請求項９】
ネットワークを介して遠隔で操作される電子錠方法において、
前記ネットワークを介して携帯電話機から電子錠に対して発信者番号を通知し電話をかけ施錠・解錠の要求を行う工程と、
前記電子錠で発信者番号の通知により前記携帯電話機の電話番号の照合を行う工程と、
前記携帯電話機の電話番号の照合で正しい場合には前記ネットワークを介して前記電子錠から前記携帯電話機に通知を行う工程と、
前記電子錠から通知を受けた場合、前記携帯電話機ではユーザーの生体データを入力し、前記ネットワークを介して前記携帯電話機からサーバーに生体データを送信し、生体認証の要求を行う工程と、
前記携帯電話機から送信された生体データの認証を前記サーバーで行い、前記ネットワークを介して、本人と認証した場合には許可信号を、本人でないと認証した場合には不許可信号を前記サーバーから前記電子錠に送信する工程と、
前記サーバーから前記電子錠に許可信号を受信した場合には施錠・解錠を行う工程と、
前記ネットワークを介して前記電子錠から前記携帯電話機に施錠・解錠を行った旨の通知、不許可信号の受信により施錠・解錠を行わなかった旨の通知を行い、前記携帯電話機では通知に対して着信鳴動し、通知の内容を表示する工程とを備えることを特徴とする電子錠方法。
【請求項１０】
ネットワークを介して遠隔で操作される電子錠をコンピュータで実行するプログラムにおいて、
前記ネットワークを介して携帯電話機から電子錠に対して発信者番号を通知し電話をかけ施錠・解錠の要求を行う手順と、
前記電子錠で発信者番号の通知により前記携帯電話機の電話番号の照合を行う手順と、
前記携帯電話機の電話番号の照合で正しい場合には前記ネットワークを介して前記電子錠から前記携帯電話機に通知を行う手順と、
前記電子錠から通知を受けた場合、前記携帯電話機ではユーザーの生体データを入力し、前記ネットワークを介して前記携帯電話機からサーバーに生体データを送信し、生体認証の要求を行う手順と、
前記携帯電話機から送信された生体データの認証を前記サーバーで行い、前記ネットワークを介して、本人と認証した場合には許可信号を、本人でないと認証した場合には不許可信号を前記サーバーから前記電子錠に送信する手順と、
前記サーバーから前記電子錠に許可信号を受信した場合には施錠・解錠を行う工程と、
前記ネットワークを介して前記電子錠から前記携帯電話機に施錠・解錠を行った旨の通知、不許可信号の受信により施錠・解錠を行わなかった旨の通知を行い、前記携帯電話機では通知に対して着信鳴動し、通知の内容を表示する手順とを備えることを特徴とする電子錠をコンピュータで実行するプログラム。
【請求項１１】
ネットワークを介して携帯電話機で遠隔操作が行われる電子錠において、
前記携帯電話機の電話番号を保存し、前記ネットワークを介して前記携帯電話機からの施錠・解錠の要求を受信し、保存してある電話番号と照合して発信者番号の通知による前記携帯電話機の電話番号が正しいかを判断し、正しい場合には、前記ネットワークを介して携帯電話機に通知しサーバーにユーザーの生体データを送信し、認証させるための携帯電話番号判断部と、
前記携帯電話番号判断部で電話番号が正しいとの判断が行われ、且つ前記サーバーからユーザーが本人であるとの認証結果として許可信号を受信した場合に電子錠の施錠・解錠を行うとの判断を行い、前記携帯電話機に施錠・解錠を行った旨、行わなかった旨の通知を行う施錠・解錠判断部とを備えることを特徴とする電子錠。
【請求項１２】
ネットワークを介して携帯電話機から遠隔で電子錠を操作するためのサーバーにおいて、
顔認証、虹彩認証、指紋認証、声紋認証を含む生体認証から複数の携帯電話機のユーザーにより選択された生体認証について、ユーザーの生体認証データを予め格納する生体認証データ格納部と、
前記電子錠の照合で携帯電話機の電話番号が正しい場合に前記携帯電話機から前記ネットワークを介して送信される生体データの認証要求に対して前記生体認証データ格納部から取り出した生体認証データと送信された生体データを照合し、前記ネットワークを介して本人と認証した場合には許可信号、本人と認証できない場合には不許可信号を電子錠に送信し、許可信号の場合には電子錠の施錠・解錠を行わせ、不許可信号の場合には電子錠の施錠・解錠を行わせないようする生体認証部とを備えることを特徴とするサーバー。
【請求項１３】
ネットワークを介して遠隔で電子錠を操作する携帯電話機において、
前記ネットワークを介して発信者番号を通知し前記電子錠に電話をかけ施錠・解錠の要求を行い、前記電子錠で電話番号の照合を行わせ、正しい場合には前記電子錠から通知を受信する電子錠施錠・解錠要求部と、
前記電子錠から通知を受信した場合には、携帯電話機のユーザーの生体データを入力し前記ネットワークを介してサーバーに送信し生体認証を要求し、前記サーバーで本人と認証された場合には前記ネットワークを介して前記サーバーから前記電子錠に許可信号を前記電子錠に送信させ、前記電子錠に施錠・解錠を行わせるための生体認証要求部とを備えることを特徴とする携帯電話機。
【発明の詳細な説明】
【技術分野】
【０００１】
本発明はネットワークを介して遠隔操作による電子錠システムに関する。特に、本発明は、高セキュリティを有する電子錠システム、方法、プログラム、電子錠、サーバ及び携帯電話機
に関する。
【背景技術】
【０００２】
近年、携帯電話機の付加機能が発展し、携帯電話機からの操作で家、オフィス、自動車等の電子錠を操作できることは周知である。
この電子錠のセキュリティを維持するため、携帯電話機とユーザーの特定は、電子錠が受信した電話番号とその電話番号から送られてきた暗証番号（パスワード）の照合により行われてきた。
【０００３】
しかしながら、これでは、携帯電話機の盗難、紛失、暗証番号の漏洩等の事態に対処しておらず完全なる本人の特定ができず、さらに、電子錠の破壊の事態にも迅速に対処できないため危険があるという問題がある。
このような携帯電話機による電子錠の操作、携帯電話機に対して生体認証を用いたセキュリティの向上、電子錠の破壊に関連して、以下のような従来技術がある。
【０００４】
従来、ユーザに心理的な不快感や嫌悪感を与えることなく、精度の高い本人認証を行う認証装置を提供するため、非接触で身体の部位（指紋及び虹彩等）を撮影することによりバイオメトリック画像を取得するカメラ部及び画像処理部と、その部位を最適な撮影位置に誘導するための画像表示部と、取得されたバイオメトリック画像から特徴データを抽出し、暗号部に暗号化させた後に認証サーバに送信する制御部及び通信Ｉ／Ｆ部等を備えるものがある（例えば、特許文献１参照）。
【０００５】
しかしながら、上記特許文献１では、取得されたバイオメトリック画像を認証サーバに送信しているが、携帯電話機の盗難時に生体認証のデータも強制的に盗用された場合、認証サーバは盗用された認証データを認証するので、完全に本人を特定できないという問題がある。
また、従来、不正使用を防止しつつ、紛失や盗難に起因した問題を解消することができるキーレスシステムを提供するため、利用者は、移動端末と対象建物の出入口に設けられた施解錠装置を接続し、この移動端末からインターネット経由で管理サーバへ接続要求を送信し、個人ＩＤと対象物件の場所と指紋データからなる認証情報の送信が要求されるので、その認証情報データを管理サーバに送信し、これを受けた管理サーバでは、個人ＩＤと指紋データとの認証を行い、本人確認ができた場合には、物件データに関連付けられた鍵番号を移動端末に送信し、移動端末は、この鍵番号を施解錠ユニットに出力し、これを受けた施解錠装置は、ロック状態のシリンダー錠をアンロック状態にして扉の開放を許容するものがある（例えば、特許文献２参照）。
【０００６】
しかしながら、上記特許文献２では、管理サーバでは、個人ＩＤと指紋データとの認証を行い、移動端末又は管理サーバが施解錠を行うが、個人ＩＣ、指紋データが強制的に盗用された場合には、管理サーバは盗用されたＩＤ、指紋データに対しても認証を行うので、完全に本人を特定することができないという問題がある。
また、従来、セキュリティ状態を場所や時間に依存することなく確認可能とし、ディジタル画像等による詳細な状況の情報伝達を可能とするとともに、セキュリティシステムを提供するため、ネットワーク端末は警備会社のネットワークに常時接続され、セキュリティアイテムの以上を常時監視し、ネットワーク端末はユーザの持つ携帯端末から接続可能であり、ユーザは携帯端末によってセキュリティ状態を確認することができ、外出先からセキュリティアイテムの制御が可能であり、セキュリティアイテムが異常を検知した場合、ネットワーク端末から警備会社とユーザとに異常であることが通知され、警備会社の警備サーバはネットワーク端末から通知される異常状態に応じて、警察の端末装置または消防署の端末装置への通報を行うものがある（例えば、特許文献３参照）。
【０００７】
しかしながら、上記特許文献３では、セキュリティ状態を場所や時間に依存することなく確認可能とし、ディジタル画像等による詳細な状況の情報伝達を可能とするとともに、セキュリティシステムを提供するものであるが、電子錠の破壊（自然破壊を含む）の事態を簡単な構成で対処するものではない。
【特許文献１】特開２００１−２７３４９８号公報
【特許文献２】特開２００２−２８８７５０号公報
【特許文献３】特開２００３−０７７０８１号公報
【発明の開示】
【発明が解決しようとする課題】
【０００８】
したがって、本発明は上記問題点に鑑みて、携帯電話機の盗難、紛失、暗証番号の漏洩等の事態に対処して完全なる本人の特定ができ、さらに、電子錠の破壊の事態にも簡単に迅速に対処できる電子錠システム、方法、プログラム、電子錠、サーバ及び携帯電話機を提供することを目的とする。
【課題を解決するための手段】
【０００９】
本発明は前記問題点を解決するために、ネットワークを介して遠隔で操作を行う電子錠システムにおいて、発信者番号を通知し電話をかけ施錠・解錠の要求を行い、生体データを送信する携帯電話機と、前記ネットワークを介して前記携帯電話機からユーザーの生体データを受信し、受信した生体データの認証を行い、本人である場合には許可信号を送信するサーバーと、前記ネットワークを介して前記携帯電話機からの施錠・解錠の要求を受信し、前記携帯電話機の電話番号が正しいかを判断し、正しい場合には前記携帯電話機に通知を行い、生体データを前記サーバーに送信させ、前記ネットワークを介して前記サーバーから許可信号を受信した場合には施錠・解錠を行う電子錠とを備えることを特徴とする電子錠システムを提供する。
【００１０】
さらに、前記サーバーは複数の前記携帯電話機に対してユーザーの選択によりユーザーの顔認証データ、虹彩認証データ、指紋認証データ、声紋認証データを予め格納し、前記携帯電話機から生体データを受信した場合には生体データに応じて格納された生体認証データを取り出し、受信した生体データと取り出した生体認証データを照合する。
さらに、前記電子錠は前記携帯電話機の電話番号が正しくない場合には施錠・解錠を行わない。
【００１１】
さらに、前記携帯電話機は発信者番号を通知し電話をかけ施錠・解錠の要求を行い、前記電子錠から電話番号が正しいとの通知がない場合には前記サーバーに生体データを送信しない。
さらに、前記電子錠は、前記サーバーから認証結果として本人でないとして不許可信号を受信した場合には施錠・解錠を行わない。
【００１２】
さらに、前記電子錠は前記携帯電話機に通知を行った後の許容時間内に前記サーバーから許可信号を受信した場合には施錠・解錠を行い、許容時間を超えて前記サーバーから許可信号を受信した場合には施錠・解錠を行わない。
さらに、前記携帯電話機は、前記電子錠が施錠・解錠を行った旨の通知、施錠・解錠を行わなかった旨の通知に対して、着信鳴動し、通知内容を表示する。
【００１３】
さらに、前記サーバーは一定周期で前記電子錠に異常がないかを問い合わせに対して応答の有無を判断し、応答が無い場合には前記携帯電話機に前記電子錠に異常発生の通知を行い、前記携帯電話機は異常発生の通知に対して着信鳴動を行い、異常発生通知の表示を行う。
さらに、本発明は、ネットワークを介して遠隔で操作される電子錠方法において、前記ネットワークを介して携帯電話機から電子錠に対して発信者番号を通知し電話をかけ施錠・解錠の要求を行う工程と、前記電子錠で発信者番号の通知により前記携帯電話機の電話番号の照合を行う工程と、前記携帯電話機の電話番号の照合で正しい場合には前記ネットワークを介して前記電子錠から前記携帯電話機に通知を行う工程と、前記電子錠から通知を受けた場合、前記携帯電話機ではユーザーの生体データを入力し、前記ネットワークを介して前記携帯電話機からサーバーに生体データを送信し、生体認証の要求を行う工程と、前記携帯電話機から送信された生体データの認証を前記サーバーで行い、前記ネットワークを介して、本人と認証した場合には許可信号を、本人でないと認証した場合には不許可信号を前記サーバーから前記電子錠に送信する工程と、前記サーバーから前記電子錠に許可信号を受信した場合には施錠・解錠を行う工程と、前記ネットワークを介して前記電子錠から前記携帯電話機に施錠・解錠を行った旨の通知、不許可信号の受信により施錠・解錠を行わなかった旨の通知を行い、前記携帯電話機では通知に対して着信鳴動し、通知の内容を表示する工程とを備えることを特徴とする電子錠方法を提供する。
【００１４】
さらに、本発明は、ネットワークを介して遠隔で操作される電子錠をコンピュータで実行するプログラムにおいて、前記ネットワークを介して携帯電話機から電子錠に対して発信者番号を通知し電話をかけ施錠・解錠の要求を行う手順と、前記電子錠で発信者番号の通知により前記携帯電話機の電話番号の照合を行う手順と、前記携帯電話機の電話番号の照合で正しい場合には前記ネットワークを介して前記電子錠から前記携帯電話機に通知を行う手順と、前記電子錠から通知を受けた場合、前記携帯電話機ではユーザーの生体データを入力し、前記ネットワークを介して前記携帯電話機からサーバーに生体データを送信し、生体認証の要求を行う手順と、前記携帯電話機から送信された生体データの認証を前記サーバーで行い、前記ネットワークを介して、本人と認証した場合には許可信号を、本人でないと認証した場合には不許可信号を前記サーバーから前記電子錠に送信する手順と、前記サーバーから前記電子錠に許可信号を受信した場合には施錠・解錠を行う工程と、前記ネットワークを介して前記電子錠から前記携帯電話機に施錠・解錠を行った旨の通知、不許可信号の受信により施錠・解錠を行わなかった旨の通知を行い、前記携帯電話機では通知に対して着信鳴動し、通知の内容を表示する手順とを備えることを特徴とする電子錠をコンピュータで実行するプログラムを提供する。
【００１５】
さらに、本発明は、ネットワークを介して携帯電話機で遠隔操作が行われる電子錠において、前記携帯電話機の電話番号を保存し、前記ネットワークを介して前記携帯電話機からの施錠・解錠の要求を受信し、保存してある電話番号と照合して発信者番号の通知による前記携帯電話機の電話番号が正しいかを判断し、正しい場合には、前記ネットワークを介して携帯電話機に通知しサーバーにユーザーの生体データを送信し、認証させるための携帯電話番号判断部と、前記携帯電話番号判断部で電話番号が正しいとの判断が行われ、且つ前記サーバーからユーザーが本人であるとの認証結果として許可信号を受信した場合に電子錠の施錠・解錠を行うとの判断を行い、前記携帯電話機に施錠・解錠を行った旨、行わなかった旨の通知を行う施錠・解錠判断部とを備えることを特徴とする電子錠を提供する。
【００１６】
さらに、本発明は、ネットワークを介して携帯電話機から遠隔で電子錠を操作するためのサーバーにおいて、顔認証、虹彩認証、指紋認証、声紋認証を含む生体認証から複数の携帯電話機のユーザーにより選択された生体認証について、ユーザーの生体認証データを予め格納する生体認証データ格納部と、前記電子錠の照合で携帯電話機の電話番号が正しい場合に前記携帯電話機から前記ネットワークを介して送信される生体データの認証要求に対して前記生体認証データ格納部から取り出した生体認証データと送信された生体データを照合し、前記ネットワークを介して本人と認証した場合には許可信号、本人と認証できない場合には不許可信号を電子錠に送信し、許可信号の場合には電子錠の施錠・解錠を行わせ、不許可信号の場合には電子錠の施錠・解錠を行わせないようする生体認証部とを備えることを特徴とするサーバーを提供する。
【００１７】
さらに、本発明は、ネットワークを介して遠隔で電子錠を操作する携帯電話機において、前記ネットワークを介して発信者番号を通知し前記電子錠に電話をかけ施錠・解錠の要求を行い、前記電子錠で電話番号の照合を行わせ、正しい場合には前記電子錠から通知を受信する電子錠施錠・解錠要求部と、前記電子錠から通知を受信した場合には、携帯電話機のユーザーの生体データを入力し前記ネットワークを介してサーバーに送信し生体認証を要求し、前記サーバーで本人と認証された場合には前記ネットワークを介して前記サーバーから前記電子錠に許可信号を前記電子錠に送信させ、前記電子錠に施錠・解錠を行わせるための生体認証要求部とを備えることを特徴とする携帯電話機を提供する。
【発明の効果】
【００１８】
以上説明したように、本発明によれば、ネットワークを介して携帯電話機から電子錠に対して発信者番号を通知し電話をかけ施錠・解錠の要求を行い、電子錠で発信者番号の通知により携帯電話機の電話番号の照合を行い、携帯電話機の電話番号が正しい場合にはネットワークを介して電子錠から携帯電話機に通知を行い、電子錠から通知を受けた場合、携帯電話機ではユーザーの生体データを入力し、ネットワークを介して携帯電話機からサーバーに生体データを送信し、生体認証の要求を行い、携帯電話機から送信された生体データの認証をサーバーで行い、ネットワークを介して、本人と認証した場合には許可信号を、本人でないと認証した場合には不許可信号をサーバーから電子錠に送信し、サーバーから電子錠に許可信号を受信した場合には施錠・解錠を行い、ネットワークを介して電子錠から携帯電話機に施錠・解錠を行った旨の通知、不許可信号の受信により施錠・解錠を行わなかった旨の通知を行い、携帯電話機では通知に対して着信鳴動し、通知の内容を表示するようにしたので、携帯電話機の盗難、紛失、暗証番号の漏洩などの事態にも電子錠のセキュリティを守ることができる。
【００１９】
さらに、サーバーは一定周期で電子錠に異常がないかを問い合わせに対して応答の有無を判断し、応答が無い場合には携帯電話機に電子錠に異常発生の通知を行い、携帯電話機は異常発生の通知に対して着信鳴動を行い、異常発生通知の表示を行うようにしたので、電子錠のセキュリティの状況をユーザーがサーバーを通じて携帯電話機に確認でき、従来よりも非常に高いセキュリティを持った電子錠を利用することが可能になる。
【発明を実施するための最良の形態】
【００２０】
以下、本発明の実施の形態について図面を参照して説明する。
図１は本発明に係る電子錠システムの概略構成を示すブロック図である。本図に示すように、本発明に係る携帯電話機の電子錠システム１００は複数の携帯電話機１０１−１、１０１−２、…、サーバー１０２、複数の電子錠１０３−１、１０３−２、…で構成され、これらはネットワーク１０４に接続される。
【００２１】
ここでは、携帯電話機１０１−１、１０１−２、…のユーザーが電子施錠１０３−１、１０３−２、…についてそれぞれの所有者又は管理者であるとする。
携帯電話機の電子錠システム１００では、コンピュータで実行するプログラム制御により、ネットワーク１０４を介してサーバー１０２に生体認証の機能を持たせ、複数の携帯電話機１０１−１、１０１−２、…から電子錠１０３−１、１０３−２、…に対してそれぞれ施錠・解錠を行う。
【００２２】
携帯電話機１０１−１、１０１−２、…は通話、通信機能を有し、認証に必要なカメラ機能、音声入力機能を有し、さらに、電子錠施錠・解錠要求部１０１−１Ａ、生体認証要求部１０１−１Ｂ、電子錠施錠・解錠要求部１０１−２Ａ、生体認証要求部１０１−２Ｂ、…をそれぞれ有する。
電子錠施錠・解錠要求部１０１−１Ａ、電子錠施錠・解錠要求部１０１−２Ａ、…は、電子錠１０３−１、電子錠１０３−２、…の電話番号をそれぞれ保存し保存した電話番号を入力し電子錠１０３−１、電子錠１０３−２、…にそれぞれ電話をかけ、携帯電話機の発信者電話番号を通知し、ネットワーク１０４を介して、電子錠１０３−１、電子錠１０３−２、…に対してそれぞれ施錠・解錠を要求する。
【００２３】
生体認証要求部１０１−１Ｂ、１０１−２Ｂ、…は電子錠１０３−１、電子錠１０３−２、…からのそれぞれの通知に対して生体データを入力し、ネットワーク１０４を介して、サーバー１０２に送信し、生体認証を要求する。
この場合、携帯電話機１０１−１、１０１−２、…では、顔認証、虹彩認証、指紋認証、声紋認証から予め生体認証を選択して選択した生体認証に対して生体データをそれぞれ入力する。
【００２４】
例えば、計帯電湾器１０１−１、１０１−２、…には、顔認証を選択した場合にはカメラ機能により顔を撮像した顔画像データが入力される。
計帯電湾器１０１−１、１０１−２、…には、虹彩認証を選択した場合にはカメラ機能により目の虹彩を撮像した虹彩画像データが入力される。
計帯電湾器１０１−１、１０１−２、…には、指紋認証を選択した場合にはカメラ機能により指の指紋を撮像した指紋画像データが入力される。
【００２５】
計帯電湾器１０１−１、１０１−２、…には、声紋認証を選択した場合にはマイクロフォンにより音声の声紋データが入力される。
なお、計帯電湾器１０１−１、１０１−２、…に予め保存されたデータは生体データの入力の対象とならず、施錠・解錠要求時に入力した生体データのみが入力の対象となる。これは、計帯電湾器１０１−１、１０１−２、…の紛失時、盗難時の悪用を防止するためである。
【００２６】
サーバー１０２は、送受信機能を有し、さらに、生体認証部１０２Ａ、生体認証データ格納部１０２Ｂを有する。
生体認証部１０２Ａは、ネットワーク１０４を介して、計帯電湾器１０１−１、１０１−２、…から生体データを受信すると、生体認証データ格納部１０２Ｂから該当する生体認証データを取り出し、受信した生体データと取り出した生体認証データを照合し、一致、不一致の生体認証の照合結果を電子錠１０３−１、１０３−２、…にそれぞれ通知する。
【００２７】
電子錠１０３−１、電子錠１０３−２、…は、遠隔で操作される、例えば、家、オフィス、自動車等の電子錠であり、送受信機能をそれぞれ有し、特に、携帯電話番号判断部１０３−１Ａ、施錠・解錠判断部１０３−１Ｂ、携帯電話番号判断部１０３−２Ａ、施錠・解錠判断部１０３−２Ｂ、…をそれぞれ有する。
携帯電話番号判断部１０３−１Ａ、１０３−２Ａ、…は携帯電話機１０１−１、１０１−２、…の電話番号をそれぞれ保存し、ネットワーク１０４を介して受信した携帯電話機１０１−１、１０１−２、…の発信者番号と保存した携帯電話機１０１−１、１０１−２、…の電話番号をそれぞれ照合する。
【００２８】
電子錠１０３−１、１０３−２、…は携帯電話番号判断部１０３−１Ａ、１０３−２Ａ、…による一致するとの照合結果に対して、携帯電話機１０１−１、１０１−２、…にそれぞれ電話番号一致の通知を行う。
施錠・解錠判断部１０３−１Ｂ、１０３−２Ｂ、…は、携帯電話番号判断部１０３−１Ａ、１０３−２Ａ、…により電話番号が一致し且つ電子錠１０３−１、１０３−２、…がサーバー１０２から生体認証について一致するとの照合結果をそれぞれ受信した場合には、電子錠１０３−１、１０３−２、…の施錠・解錠の判断をそれぞれ行う。
【００２９】
施錠・解錠判断部１０３−１Ｂ、１０３−２Ｂ、…が施錠・解錠の判断をそれぞれ行うと、電子錠１０３−１、１０３−２、…は施錠・解錠をそれぞれ行う。
図２は図１におけるサーバー１０２の生体認証部１０２Ａ、生体認証データ格納部１０２Ｂの概略構成を示すブロック図である。本図に示すように、生体認証部１０２Ａには顔認証部１１１、虹彩認証部１１２、指紋認証部１１３、声紋認証部１１４が設けられ、生体認証データ格納部１０２Ｂには顔認証データ格納部１１５、虹彩認証データ格納部１１６、指紋認証データ格納部１１７、声紋認証データ格納部１１８が設けられる。
【００３０】
生体認証データ格納部１０２Ｂの顔認証データ格納部１１５、虹彩認証データ格納部１１６、指紋認証データ格納部１１７、声紋認証データ格納部１１８には携帯電話機１０１−１、１０１−２、…のユーザーの選択で、ユーザーの生体認証として、ユーザーの顔認証データ、ユーザーの虹彩認証データ、ユーザーの指紋認証データ、ユーザーの声紋認証データが予め格納される。
生体認証部１０２Ａの顔認証部１１１、虹彩認証部１１２、指紋認証部１１３、声紋認証部１１４では、携帯電話機１０１−１、１０１−２、…からユーザーの生体データとして顔画像データ、虹彩画像データ、指紋画像データ、声紋データを受信すると、前記生体認証部１０２Ａの顔認証データ格納部１１５、虹彩認証データ格納部１１６、指紋認証データ格納部１１７、声紋認証データ格納部１１８から該当する顔認証データ、虹彩認証データ、指紋認証データ、声紋認証データを取り出し、取り出した顔認証データ、虹彩認証データ、指紋認証データ、声紋認証データと受信した顔画像データ、虹彩画像データ、指紋画像データ、声紋データを照合し一致、不一致の認証を行う。
【００３１】
図３は図１における電子錠システム１００の一連の動作例であって顔認証を行う例を説明するフローチャートである。本図に示すように、ステップＳ２０１において、携帯電話機１０１−１、１０１−２、…では電子錠施錠・解錠要求部１０１−１Ａ、１０１−２Ａ、…の各々から該当する電子錠１０３−１、１０３−２、…の電話番号に電話をかけ、施錠・解錠を要求する。
【００３２】
ステップＳ２０２において、携帯電話機１０１−１、１０１−２、…の電子錠施錠・解錠要求部１０１−１Ａ、１０１−２Ａ、…の各々では、該当する電子錠１０３−１、１０３−２、…から電話番号一致の通知の受信を判断する。受信がない場合には処理を終了する。
ステップＳ２０３において、電話番号一致の通知を受信した場合には、携帯電話機１０１−１、１０１−２、…の生体認証要求部１０１−１Ｂ、１０１−２Ｂ、…各々では、該当する電子錠１０３−１、１０３−２、…から電話番号一致の通知の受信があると、携帯電話機１０１−１、１０１−２、…の各々のカメラでユーザーの顔を撮像する。したがって、電話番号一致の通知の受信がないと顔の撮像が開始されない。
【００３３】
ステップＳ２０４において、携帯電話機１０１−１、１０１−２、…の生体認証要求部１０１−１Ｂ、１０１−２Ｂ、…各々からサーバー１０２に撮像したユーザーの顔を撮像した顔画像データを送信し、生体認証を要求する。
ステップＳ２０５において、携帯電話機１０１−１、１０１−２、…の各々では該当する電子錠１０３−１、１０３−２、…から施錠・解錠の通知、施錠・解錠をしない旨の通知を待つ。
【００３４】
ステップＳ２０６において、携帯電話機１０１−１、１０１−２、…の各々では該当する電子錠１０３−１、１０３−２、…から施錠・解錠をする通知、施錠・解錠をしない通知があると、着信鳴動を行い、施錠・解錠した通知又は施錠・解錠しない通知を表示し、処理を終了する。
ステップＳ２０７において、サーバー１０２の生体認証部１０２Ａでは、携帯電話機１０１−１、１０１−２、…の各々から生体認証の要求、顔画像データの受信を待つ。
【００３５】
ステップＳ２０８において、サーバー１０２の生体認証部１０２Ａでは、携帯電話機１０１−１、１０１−２、…の各々から生体認証の要求、顔画像データの受信があると、生体認証部１０２Ａの顔認証部１１１は生体認証データ格納部１０２Ｂの顔認証データ格納部１１５から取り出した該当する顔認証データと受信した顔画像データを比較し、本人であるか否かの照合を行い、一致、不一致の判断を行う。
【００３６】
ステップＳ２０９において、サーバー１０２の生体認証部１０２Ａでは、一致する場合には、該当する電子錠１０３−１、１０３−２、…に対して許可信号を発信し処理を終了する。
ステップＳ２１０において、サーバー１０２の生体認証部１０２Ａでは、不一致の場合には、該当する電子錠１０３−１、１０３−２、…に対して不許可信号を発信し処理を終了する。
【００３７】
ステップＳ２１１において、該当する電子錠１０３−１、１０３−２、…では、該当する携帯電話機１０１−１、１０１−２、…から施錠・解錠の要求の受信があった場合、該当する携帯電話番号判断部１０３−１Ａ、１０３−２Ａ、…は、受信した携帯電話機１０１−１、１０１−２、…の発信者番号の通知から、受信した電話番号と保存してある電話番号との一致、不一致を判断し、受信した電話番号が正しいか否かを照合する。電話番号が不一致の場合にはステップＳ２１６に進む。
【００３８】
ステップＳ２１２において、電話番号の照合が正しい場合には、該当する電子錠１０３−１、１０３−２、…から該当する携帯電話機１０１−１、１０１−２、…に対して受信した電話番号が正しいことを通知する。
ステップＳ２１３において、該当する電子錠１０３−１、１０３−２、…の施錠・解錠判断部１０３−１Ｂ、１０３−２Ｂ、…では、電話番号が正しいとの通知後の許容時間内にサーバー１０２から許可信号を受信したか否かを判断する。許容時間内を超えた場合には不許可信号と見なす。
【００３９】
携帯電話機の電話番号が電子錠で照合され、生体データがサーバーで照合されるように、２つの異なる場所で照合が行われるので、セキュリティが向上する。
すなわち、携帯電話機が盗難され、生体データ、携帯電話機の電話番号も強制的に盗用されても、サーバー１０２は盗用された生体データを認証するが、電話番号の照合を行うことはできない。電子錠での電話番号の照合がないためである。このため、サーバー１０２からの許可信号の受信は無視される。
【００４０】
また、他の携帯電話機で生体データを強制に盗用されても、電子錠に電話番号をかけた際に通知された発信者番号が正しくないので、生体データはサーバー１０２に送信されない。
さらに、サーバー１０２から悪意で許可信号の受信があっても電話番号が正しいとの判断が行われていないので、この許可信号の受信は無視される。許可信号を受信しない場合にはステップＳ２１６に進む。
【００４１】
ステップＳ２１４において、該当する電子錠１０３−１、１０３−２、…の施錠・解錠判断部１０３−１Ｂ、１０３−２Ｂ、…では、サーバー１０２から許容時間内に許可信号を受信すると、施錠・解錠を行う。
ステップＳ２１５において、該当する電子錠１０３−１、１０３−２、…から該当する携帯電話機１０１−１、１０１−２、…に施錠・解錠したことを通知し、処理を終了する。
【００４２】
ステップＳ２１６において、電話番号の照合が不一致である場合、サーバー１０２から顔認証が不一致による不許可信号を受信した場合には、施錠・解錠を行わない。
ステップＳ２１７において、該当する電子錠１０３−１、１０３−２、…から該当する携帯電話機１０１−１、１０１−２、…に施錠・解錠しないことを通知し、処理を終了する。
【００４３】
図４は図１における電子錠システム１００の一連の動作例であって虹彩認証を行う例を説明するフローチャートである。本図に示すように、図３と比較して、ステップＳ２２３において、携帯電話機１０１−１、１０１−２、…の生体認証要求部１０１−１Ｂ、１０１−２Ｂ、…各々では、該当する電子錠１０３−１、１０３−２、…から電話番号一致の通知の受信があると、携帯電話機１０１−１、１０１−２、…の各々のカメラでユーザーの目の虹彩を撮像する。したがって、電話番号一致の通知の受信がないと虹彩の撮像が開始されない。
【００４４】
ステップＳ２２４において、携帯電話機１０１−１、１０１−２、…の生体認証要求部１０１−１Ｂ、１０１−２Ｂ、…各々からサーバー１０２に撮像したユーザーの目の虹彩を撮像した虹彩画像データを送信し、生体認証を要求する。
ステップＳ２２７において、サーバー１０２の生体認証部１０２Ａでは、携帯電話機１０１−１、１０１−２、…の各々から生体認証の要求、虹彩画像データの受信を待つ。
【００４５】
ステップＳ２２８において、サーバー１０２の生体認証部１０２Ａでは、携帯電話機１０１−１、１０１−２、…の各々から生体認証の要求、虹彩画像データの受信があると、生体認証部１０２Ａの虹彩認証部１１２は生体認証データ格納部１０２Ｂの虹彩認証データ格納部１１６から取り出した該当する虹彩認証データと受信した虹彩画像データを比較し、本人であるか否かの照合を行い、一致、不一致の判断を行う。
【００４６】
なお、その他の処理は図３と同様であるので説明を省略する。
図５は図１における電子錠システム１００の一連の動作例であって指紋認証を行う例を説明するフローチャートである。本図に示すように、図３と比較して、ステップＳ２４３において、携帯電話機１０１−１、１０１−２、…の生体認証要求部１０１−１Ｂ、１０１−２Ｂ、…各々では、該当する電子錠１０３−１、１０３−２、…から電話番号一致の通知の受信があると、携帯電話機１０１−１、１０１−２、…の各々のカメラでユーザーの指の指紋を撮像する。したがって、電話番号一致の通知の受信がないと指紋の撮像が開始されない。
【００４７】
ステップＳ２４４において、携帯電話機１０１−１、１０１−２、…の生体認証要求部１０１−１Ｂ、１０１−２Ｂ、…各々からサーバー１０２に撮像したユーザーの指の指紋を撮像した指紋画像データを送信し、生体認証を要求する。
ステップＳ２４７において、サーバー１０２の生体認証部１０２Ａでは、携帯電話機１０１−１、１０１−２、…の各々から生体認証の要求、指紋画像データの受信を待つ。
【００４８】
ステップＳ２４８において、サーバー１０２の生体認証部１０２Ａでは、携帯電話機１０１−１、１０１−２、…の各々から生体認証の要求、指紋画像データの受信があると、生体認証部１０２Ａの指紋認証部１１３は生体認証データ格納部１０２Ｂの指紋認証データ格納部１１７から取り出した該当する指紋認証データと受信した指紋画像データを比較し、本人であるか否かの照合を行い、一致、不一致の判断を行う。
【００４９】
なお、その他の処理は図３同様であるので説明を省略する。
図６は図１における電子錠システム１００の一連の動作例であって声紋認証を行う例を説明するフローチャートである。本図に示すように、図３と比較して、ステップＳ２６３において、携帯電話機１０１−１、１０１−２、…の生体認証要求部１０１−１Ｂ、１０１−２Ｂ、…各々では、該当する電子錠１０３−１、１０３−２、…から電話番号一致の通知の受信があると、携帯電話機１０１−１、１０１−２、…の各々のマイクロフォンでユーザーの音声の声紋を入力する。したがって、電話番号一致の通知の受信がないと声紋の入力が開始されない。
【００５０】
ステップＳ２６４において、携帯電話機１０１−１、１０１−２、…の生体認証要求部１０１−１Ｂ、１０１−２Ｂ、…各々からサーバー１０２にユーザーの音声の声紋を入力した声紋データを送信し、生体認証を要求する。
ステップＳ２６７において、サーバー１０２の生体認証部１０２Ａでは、携帯電話機１０１−１、１０１−２、…の各々から生体認証の要求、声紋データの受信を待つ。
【００５１】
ステップＳ２２８において、サーバー１０２の生体認証部１０２Ａでは、携帯電話機１０１−１、１０１−２、…の各々から生体認証の要求、声紋データの受信があると、生体認証部１０２Ａの声紋認証部１１４は生体認証データ格納部１０２Ｂの声紋認証データ格納部１１８から取り出した該当する声紋認証データと受信した声紋データを比較し、本人であるか否かの照合を行い、一致、不一致の判断を行う。
【００５２】
なお、その他の処理は図３同様であるので説明を省略する。
したがって、以上説明したように、本発明によれば、携帯電話機の盗難、紛失、暗証番号の漏洩などの事態にも電子錠のセキュリティを守ることができる。
【実施例１】
【００５３】
以上の説明では、生体認証要求部１０１−１Ｂ、１０１−２Ｂ、…の各ユーザーは顔認証、虹彩認証、指紋認証、声紋認証から任意の１つを選択して選択した認証方法に対して本人を照合しているが、任意の２つ、任意の３つ又は全部を選択して認証を行うようにしてもよい。本発明の汎用性を増すためである。
【実施例２】
【００５４】
図７は図１における変形例であり、電子錠システムの概略構成を示すブロック図である。本図に示すように、図１と比較して、サーバー１０２には異常問合・通知部１０２Ｃが追加され、電子錠１０３−１、１０３−２、…には異常問合・応答部１０３−１Ｃ、１０３−２Ｃ、…がそれぞれ追加される。
サーバー１０２の異常問合・通知部１０２Ｃは電子錠１０３−１、１０３−２、…に対して一定周期で異常がないかを問い合わせ、異常があるとの応答に対しては、該当する携帯電話機１０１−１、１０１−２、…に対して異常通知を行う。
【００５５】
電子錠１０３−１、１０３−２、…の異常問合・応答部１０３−１Ｃ、１０３−２Ｃ、…の各々はサーバー１０２からの異常問い合わせに対して、異常なしの応答を行う。
図８は図７における電子錠システムで追加された部分の一連の動作例を説明するフローチャートである。本図に示すように、ステップＳ３０１において、携帯電話機１０１−１、１０１−２、…の各々では、サーバー１０２から電子錠の異常通知の受信を待つ。
【００５６】
ステップＳ３０２において、異常通知の受信があると、携帯電話機１０１−１、１０１−２、…の各々では、着信鳴動を行い、異常通知の表示を行い、処理を終了する。
ステップＳ３０３において、サーバー１０２では、異常問合・通知部１０２Ｃから一定周期で電子錠１０３−１、１０３−２、…に対して異常がないかの問い合わせを行う。
ステップＳ３０４において、異常問合・通知部１０２Ｃでは異常なしの応答を確認したらステップＳ３０３に戻り、上記処理を繰り返す。
【００５７】
ステップＳ３０５において、異常問合・通知部１０２Ｃでは、電子錠１０３−１、１０３−２、…から応答が返って来ず異常なしの応答を確認できない場合には該当する携帯電話機１０１−１、１０１−２、…に対して該当する電子錠１０３−１、１０３−２、…に異常が発生したとの通知を行い、処理を終了する。
ステップＳ３０６において、電子錠１０３−１、１０３−２、…の異常問合・応答部１０３−１Ｃ、１０３−２Ｃ、…では、サーバー１０２からの異常がないかの問い合わせを待つ。
【００５８】
ステップＳ３０７において、異常問合・応答部１０３−１Ｃ、１０３−２Ｃ、…では、サーバー１０２から異常がないかの問い合わせがあった場合には異常なしの応答を行い、処理を終了する。
したがって、以上説明したように、本発明によれば、電子錠のセキュリティの状況をユーザーがサーバーを通じて携帯電話機に確認できるので、従来よりも非常に高いセキュリティを持った電子錠を利用することが可能になる。
【産業上の利用可能性】
【００５９】
以上、さらに、生体認証技術で決済するお財布携帯電話機、生体認証技術で使用することができるモバイルスイカ、商品の購入、登録された個人情報の閲覧を生体認証技術によってなされる携帯電話機に対して本発明を利用することが可能である。
また、本発明は、携帯電話機に限らず、ＰＨＳ、ＰＤＡに利用可能である。
【図面の簡単な説明】
【００６０】
【図１】本発明に係る電子錠システムの概略構成を示すブロック図である。
【図２】図１におけるサーバー１０２の生体認証部１０２Ａ、生体認証データ格納部１０２Ｂの概略構成を示すブロック図である。
【図３】図１における電子錠システム１００の一連の動作例であって顔認証を行う例を説明するフローチャートである。
【図４】図１における電子錠システム１００の一連の動作例であって虹彩認証を行う例を説明するフローチャートである。
【図５】図１における電子錠システム１００の一連の動作例であって指紋認証を行う例を説明するフローチャートである。
【図６】図１における電子錠システム１００の一連の動作例であって声紋認証を行う例を説明するフローチャートである。
【図７】図１における変形例であり、電子錠システムの概略構成を示すブロック図である。
【図８】図７における電子錠システムで追加された部分の一連の動作例を説明するフローチャートである。
【符号の説明】
【００６１】
１０１−１、１０１−２…携帯電話機
１０１−１Ａ、１０１−２Ａ…電子錠施錠・解錠要求部
１０１−１Ｂ、１０１−２Ｂ…生体認証要求部
１０２…サーバー
１０２Ａ…生体認証部
１０２Ｂ…生体認証データ格納部
１０２Ｃ…異常問合・通知部
１０３−１、１０３−２…電子錠
１０３−１Ａ、１０３−２Ａ…携帯電話番号判断部
１０３−１Ｂ、１０３−２Ｂ…施錠・解錠判断部
１０３−１Ｃ、１０３−２Ｃ…異常問合・応答部
１０４…ネットワーク
１１１…顔認証部
１１２…虹彩認証部
１１３…指紋認証部
１１４…声紋認証部
１１５…顔認証データ格納部
１１６…虹彩認証データ格納部
１１７…指紋証データ格納部
１１８…声紋証データ格納部
【図１】
2007247346.tif 000003
【図２】
2007247346.tif 000004
【図３】
2007247346.tif 000005
【図４】
2007247346.tif 000006
【図５】
2007247346.tif 000007
【図６】
2007247346.tif 000008
【図７】
2007247346.tif 000009
【図８】
2007247346.tif 000010